(57)【要約】【課題】異なる伝送媒体間の媒体変換を行うメディアコンバータを用いたループ試験の際に、双方向にて伝送正常性を確認させることが可能なメディアコンバータ、ループ試験方法及びループ試験プログラムを提供する。【解決手段】第１のメディアコンバータ１ａ及び第２のメディアコンバータ１ｂは保守信号処理装置６、第１信号変換装置７、第２信号変換装置８、ループ依頼部２６等からなる。保守信号処理装置６は、ＣＰＵ１０、主記憶装置１１及びＰＬＤ２０を備える。ＣＰＵ１０は、保守信号を解析する保守信号解析部、ループ依頼部２６よりループ試験の依頼を受ける入出力処理部１４、タイマ設定を行うタイマ処理部１５、ループ試験の制御信号を伝送する物理層制御部１６、保守信号を生成する保守信号生成部１７及びＰＬＤ２０に保守信号を送信する保守信号送信部１８等のモジュールを、適宜主記憶装置１１より呼び出して演算処理し、各機能を実行させる。【選択図】      図３
2004228771.tif 000002
【特許請求の範囲】
【請求項１】
メディアコンバータ間にて信号を伝送する伝送媒体より主信号を受信する信号変換装置と、
前記主信号より伝送正常性確認の為のループ試験の被依頼の保守信号を抽出する保守信号抽出部と、
前記ループ試験の依頼を行うループ依頼部と、
前記ループ試験に関する保守信号の種別及び内容を記憶する保守信号記憶部と、
前記保守信号記憶部を参照し、前記被依頼の保守信号及び前記ループ試験の依頼を解析する保守信号解析部と、
前記被依頼の保守信号の解析結果によりループ試験の制御を行う物理層制御部と、
前記ループ試験の依頼の解析結果に従ってループ試験の依頼の保守信号を生成する保守信号生成部と、
前記依頼の保守信号を主信号に挿入し、前記信号変換装置へ送信する保守信号挿入部
とを備えることを特徴とするメディアコンバータ。
【請求項２】
前記メディアコンバータは複数存在し、
１つのメディアコンバータは直近の下位ノード若しくは直近の上位ノードに存在する別のメディアコンバータとの間で前記主信号を送受信することを特徴とする請求項１に記載のメディアコンバータ。
【請求項３】
前記被依頼の保守信号の受信及び前記依頼の保守信号の送信の際にタイマの設定を行うタイマ処理部を備え、
前記タイマ処理部は、前記メディアコンバータ間においてループ試験の競合が発生した際に、前記依頼の保守信号の送信前に前記被依頼の保守信号を受信したのであれば、一時的に前記依頼の保守信号の送信を保留し、前記被依頼の保守信号に係るループ試験が終了した後に保留してあった前記依頼の保守信号の送信を行うことを特徴とする請求項１又は２に記載のメディアコンバータ。
【請求項４】
前記タイマ処理部は、前記メディアコンバータ間においてループ試験の競合が発生した際に、前記依頼の保守信号の送信後に前記被依頼の保守信号を受信したのであれば、ランダムな待ち時間の経過後に再度前記依頼の保守信号の送信を行うことを特徴とする請求項３に記載のメディアコンバータ。
【請求項５】
前記伝送媒体は光ファイバーケーブルであることを特徴とする請求項１又は２に記載のメディアコンバータ。
【請求項６】
メディアコンバータ間にて信号を伝送する伝送媒体より主信号を受信するステップと、
前記主信号よりループ試験の被依頼信号の保守信号を抽出するステップと、
前記ループ試験に関する保守信号の種別及び内容を記憶する保守信号記憶部を参照して前記被依頼の保守信号を解析し、前記解析の結果により前記ループ試験の制御を行うステップと、
前記ループ試験の依頼を行うステップと、
前記ループ試験の依頼を解析し、前記保守信号記憶部を参照して前記解析の結果に従いループ試験の依頼の保守信号を生成するステップと、
前記依頼の保守信号を前記主信号に挿入し、前記伝送媒体に向けて送信するステップ
とを備えることを特徴とするループ試験方法。
【請求項７】
前記メディアコンバータは複数存在し、１つのメディアコンバータは直近の下位ノード若しくは直近の上位ノードに存在する別のメディアコンバータとの間で前記主信号を送受信することを特徴とする請求項６に記載のループ試験方法。
【請求項８】
前記被依頼の保守信号の受信及び前記依頼の保守信号の送信の際にタイマの設定を行うステップを備え、
前記タイマの設定を行うステップは、前記メディアコンバータ間においてループ試験の競合が発生した際に、前記依頼の保守信号の送信前に前記被依頼の保守信号を受信したのであれば、一時的に前記依頼の保守信号の送信を保留し、前記被依頼の保守信号に係るループ試験が終了した後に保留してあった前記依頼の保守信号の送信を行うことを特徴とする請求項６又は７に記載のループ試験方法。
【請求項９】
前記タイマの設定を行うステップは、前記メディアコンバータ間においてループ試験の競合が発生した際に、前記依頼の保守信号の送信後に前記被依頼の保守信号を受信したのであれば、ランダムな待ち時間の経過後に再度前記依頼の保守信号の送信を行うことを特徴とする請求項８に記載のループ試験方法。
【請求項１０】
前記伝送媒体が光ファイバーケーブルであることを特徴とする請求項６又は７に記載のループ試験方法。
【請求項１１】
異なる伝送媒体間の媒体変換を行い、その伝送正常性を確認させるコンピュータに、
メディアコンバータ間にて信号を伝送させる伝送媒体より主信号を受信する命令と、
前記主信号よりループ試験の被依頼信号の保守信号を抽出する命令と、
前記ループ試験に関する保守信号の種別及び内容を記憶する保守信号記憶部を参照して前記被依頼の保守信号を解析し、前記解析の結果により前記ループ試験の制御を行う命令と、
前記ループ試験を依頼する命令と、
前記ループ試験の依頼を解析し、前記保守信号記憶部を参照して前記解析の結果に従いループ試験の依頼の保守信号を生成する命令と、
前記依頼の保守信号を前記主信号に挿入し、前記伝送媒体に向けて送信する命令
とを実行させることを特徴とするループ試験プログラム。
【請求項１２】
前記メディアコンバータは複数存在し、１つのメディアコンバータは直近の下位ノード若しくは直近の上位ノードに存在させる別のメディアコンバータとの間で前記主信号を送受信させることを特徴とさせる請求項１１に記載のループ試験プログラム。
【請求項１３】
前記被依頼の保守信号の受信及び前記依頼の保守信号の送信の際にタイマの設定を行う命令を備え、
前記タイマの設定を行う命令は、前記メディアコンバータ間においてループ試験の競合が発生した際に、前記依頼の保守信号の送信前に前記被依頼の保守信号を受信したのであれば、一時的に前記依頼の保守信号の送信を保留し、前記被依頼の保守信号に係るループ試験が終了した後に保留してあった前記依頼の保守信号の送信を行うことを特徴とする請求項１１又は１２に記載のループ試験プログラム。
【請求項１４】
前記タイマの設定を行う命令は、前記メディアコンバータ間においてループ試験の競合が発生した際に、前記依頼の保守信号の送信後に前記被依頼の保守信号を受信したのであれば、ランダムな待ち時間の経過後に再度前記依頼の保守信号の送信を行うことを特徴とする請求項１３に記載のループ試験プログラム。
【請求項１５】
前記伝送媒体が光ファイバーケーブルであることを特徴とする請求項１１又は１２に記載のループ試験プログラム。
【発明の詳細な説明】
【０００１】
【発明の属する技術分野】
本発明は、異なる伝送媒体間の媒体変換を行うメディアコンバータを用いた、双方向にて伝送正常性を確認させる技術に係り、メディアコンバータ、ループ試験方法及びループ試験プログラムに関する。
【０００２】
【従来の技術】
近年、世界最大のコンピュータネットワーク「インターネット（Ｉｎｔｅｒｎｅｔ）」の利用が普及してきている。これに伴い、各家庭まで光ファイバ回線を延ばして、音楽、動画像及び医療データ等を高速回線で自在に送受信できる「ＦＴＴＨ（ｆｉｂｅｒ  ｔｏ  ｔｈｅ  ｈｏｍｅ）」が話題を集めている。このようなＦＴＴＨが実現されると、光ファイバ回線をオフィス内、地域内及び家庭内の端末に接続する為のメディアコンバータが不可欠となる。
【０００３】
メディアコンバータは、一般的に光ケーブルを接続する為光トランシーバ装置等に配置されるポートと、ＵＴＰケーブルを接続する為ＲＪ４５等に配置されるポートのそれぞれに物理層デバイスが設けられており、各物理層デバイスはＩＥＥＥ８０２．３規格によって規定されたＭＩＩ（ｍｅｄｉａ  ｉｎｄｅｐｅｎｄｅｎｔ  ｉｎｔｅｒｆａｃｅ：媒体非依存インターフェース）をサポートしている。
【０００４】
メディアコンバータを用いてＵＴＰケーブルを光ケーブルに接続した場合、ケーブルが相手側と正常に接続されているか否かを試験する必要がある。これはループ試験と呼ばれる。メディアコンバータについてのＴＴＣ基準であるＴＳ−１０００では、線路の状態、対向するメディアコンバータの動作状態を確認する為のループ試験機能が規定されている。この規定では、ループ試験はＦＴＴＨによる情報配信を行う中央局の側（以下、「センタ側」と記載）のメディアコンバータから、センタ側より光信号の配信を受けるオフィス、地域、家庭内の側（以下、「端末側」と記載）のメディアコンバータに対してのみループ試験を起動させることが可能である。ループ試験起動要求を受けた端末側メディアコンバータは内部でループを形成する。このループ形成の確認後、センタ側メディアコンバータはループデータを送信し、端末側メディアコンバータで折り返させ、センタ側でその折り返されたループデータを受信する。このループデータより線路及び端末側メディアコンバータの状態を確認する。
【０００５】
【非特許文献１】
社団法人電信電話技術委員会  ＴＴＣ仕様書  ＴＳ−１０００  光加入者線インターフェース（１００Ｍｂｉｔ／ｓ一心ＷＤＭ方式）  第１版  ２００２年５月２３日制定
【０００６】
【発明が解決しようとする課題】
しかしながら、前述したようなＴＳ−１０００準拠のループ試験においては、端末側メディアコンバータからは、ループ試験を実行することも、ループ試験の結果を確認することもできないという問題があった。これはメディアコンバータのループ試験機能において、センタ側と端末側に主従関係が存在することを意味している。このループ試験機能を用いる際には、常にこの主従関係を意識して各メディアコンバータを対向させた上で行う必要があった。この主従関係を意識することは、ネットワーク構成の自由度を奪い、新たなネットワークの構築等の際に不都合が生じていた。又、端末側からのループ試験の制御が不可能な為、ループ試験を迅速且つ簡単に実行させることを阻害していた。
【０００７】
本発明は、上記問題点を解決する為になされたものであり、異なる伝送媒体間の媒体変換を行うメディアコンバータを用いたループ試験の際に、双方向にて伝送正常性を確認させる為のメディアコンバータ、ループ試験方法及びループ試験プログラムに関する。
【０００８】
【課題を解決するための手段】
上記課題を解決するために、本発明の第１の特徴は、（ａ）メディアコンバータ間にて信号を伝送する伝送媒体より主信号を受信する信号変換装置と、（ｂ）主信号よりループ試験の被依頼の保守信号を抽出する保守信号抽出部と、（ｃ）ループ試験の依頼を行うループ依頼部と、（ｄ）ループ試験に関する保守信号の種別及び内容を記憶する保守信号記憶部と、（ｅ）保守信号記憶部を参照し、被依頼の保守信号及びループ試験の依頼を解析する保守信号解析部と、（ｆ）被依頼の保守信号の解析結果によりループ試験の制御を行う物理層制御部と、（ｇ）ループ試験の依頼の解析結果に従ってループ試験の依頼の保守信号を生成する保守信号生成部と、（ｈ）依頼の保守信号を主信号に挿入し、信号変換装置へ送信する保守信号挿入部とを備えることを要旨とする。
【０００９】
本発明の第１の特徴によれば、メディアコンバータが双方向にて保守信号を含む主信号の送受信を行うことができる。この為、ループ試験の際、双方のメディアコンバータには主従関係がなく、ループ試験の依頼及び依頼を受けたループ試験の実行を双方のメディアコンバータが実行することができる。
【００１０】
更に、本発明の第１の特徴には、（ｉ）メディアコンバータは複数存在し、１つのメディアコンバータは直近の下位ノード若しくは直近の上位ノードに存在する別のメディアコンバータとの間で主信号を送受信することと、（ｊ）タイマ処理部は、メディアコンバータ間においてループ試験の競合が発生した際に、依頼の保守信号の送信前に被依頼の保守信号を受信したのであれば、一時的に依頼の保守信号の送信を保留し、被依頼の保守信号に係るループ試験が終了した後に保留してあった依頼の保守信号の送信を行い、（ｋ）タイマ処理部は、メディアコンバータ間においてループ試験の競合が発生した際に、依頼の保守信号の送信後に被依頼の保守信号を受信したのであれば、ランダムな待ち時間の経過後に再度依頼の保守信号の送信を行うことを加えても良い。
【００１１】
「上位ノード」とは、センタ側に存在する端末機器、「下位ノード」とは、端末側に存在する端末機器を指す。
【００１２】
本発明の第２の特徴は、（ａ）メディアコンバータ間にて信号を伝送する伝送媒体より主信号を受信するステップと、（ｂ）主信号よりループ試験の被依頼信号の保守信号を抽出するステップと、（ｃ）ループ試験に関する保守信号の種別及び内容を記憶する保守信号記憶部を参照して被依頼の保守信号を解析し、解析の結果によりループ試験の制御を行うステップと、（ｄ）ループ試験の依頼を行うステップと、（ｅ）ループ試験の依頼を解析し、保守信号記憶部を参照して解析の結果に従いループ試験の依頼の保守信号を生成するステップと、（ｆ）依頼の保守信号を主信号に挿入し、伝送媒体に向けて送信するステップとを備えることを要旨とする。
【００１３】
本発明の第３の特徴は、（ａ）異なる伝送媒体間の媒体変換を行い、その伝送正常性を確認させるコンピュータに、メディアコンバータ間にて信号を伝送させる伝送媒体より主信号を受信する命令と、（ｂ）主信号よりループ試験の被依頼信号の保守信号を抽出する命令と、（ｃ）ループ試験に関する保守信号の種別及び内容を記憶する保守信号記憶部を参照して被依頼の保守信号を解析し、解析の結果によりループ試験の制御を行う命令と、（ｄ）ループ試験を依頼する命令と、（ｅ）ループ試験の依頼を解析し、保守信号記憶部を参照して解析の結果に従いループ試験の依頼の保守信号を生成する命令と、（ｆ）依頼の保守信号を主信号に挿入し、伝送媒体に向けて送信する命令とを実行させることを要旨とする。
【００１４】
【発明の実施の形態】
始めに、本発明の実施の形態に係る双方向のループ試験依頼が可能なメディアコンバータを用いたループ試験のシステムの概要について説明する。ループ試験のシステムは、図１に示すように、第１のメディアコンバータ１ａ、第１のメディアコンバータ１ａと同機能を有する第２のメディアコンバータ１ｂ、第１のメディアコンバータ１ａと第２のメディアコンバータ１ｂ間の伝送媒体である光ファイバーケーブル２とを備える。第１のメディアコンバータ１ａは光ファイバーケーブル２からの光信号を電気信号に変換し、接続された第２の伝送媒体であるＵＴＰケーブル３ｂを介して第１のネットワーク４に送信する。第１のネットワーク４は端末４ａ、４ｂ、４ｃを有する。同様に、第２のメディアコンバータ１ｂは光ファイバーケーブル２からの光信号を電気信号に変換し、接続されたＵＴＰケーブル３ｂを介して第２のネットワーク５に送信する。第２のネットワーク５は端末５ａ、５ｂ、５ｃを有する。尚、第１のネットワーク４及び第２のネットワーク５は、どちらがセンタ側であっても端末側であってもよいものとする。尚、第１のメディアコンバータ１ａ及び第２のメディアコンバータ１ｂは、その内部若しくは外部に、所定の機能を実現するソフトウェアプログラムをインストールすることにより実現される。
【００１５】
（メディアコンバータ）
次に本発明の実施の形態に係る第１のメディアコンバータ１ａ及び第２のメディアコンバータ１ｂは、図２に示すように、保守信号処理装置６、第１信号変換装置７、第２信号変換装置８、ループ試験の開始を依頼するループ依頼部２６及びループ試験に関する情報を外部に報知するＬＥＤ表示器２５等を備えている。第１信号変換装置７は、光トランシーバ装置３１及び光側物理層デバイス３２等から構成される。第２信号変換装置８はＭＡＣブリッジ装置３３、ツイストペア線側物理層デバイス３４、パルストランス３５及びＬＡＮ用コネクタ３６等から構成される。
【００１６】
光トランシーバ装置３１は、光ファイバーケーブル２にて伝送される光信号と端末側の装置にて伝送される電気信号間の変換を行う。光側物理層デバイス３２は、光ファイバーケーブル２側の物理層であり、物理層プロトコルを用い光トランシーバ装置３１との間で主信号の送受信処理を行う。ＭＡＣブリッジ装置３３は、データリンク層にてＩＥＥＥ８０２ＬＡＮ等の間の接続を行い、保守フレームの転送及びフィルタリング等を行う。ツイストペア線側物理層デバイス３４は、ＵＴＰケーブル３ａ、３ｂ側の物理層であり、物理層プロトコルを用いＵＴＰケーブル３ａ、３ｂ側との間で主信号の送受信処理を行う。パルストランス３５は、帯域の制限を行い、主信号に必要な帯域を通過させる。ＬＡＮ用コネクタ３６は、ＲＪ４５等のイーサネット（登録商標）モジュールであり、ＴＣＰ／ＩＰ、ＵＤＰ／ＩＰにて端末側と通信を行う。
【００１７】
保守信号処理装置６は、図３に示すように、ＣＰＵ１０、主記憶装置１１及びＰＬＤ２０を備える。ＣＰＵ１０及びＰＬＤ２０は、ループ試験を依頼する保守信号及び依頼されたループ試験を実行する保守信号に関する処理を行う為のモジュールの集まりである。
【００１８】
ＰＬＤ２０は、保守信号抽出部２１、受信バッファ２２、送信バッファ２３及び保守信号挿入部２４を備える。保守信号抽出部２１は、第１信号変換装置７より受信した主信号より保守信号のみを抽出するモジュールである。又、抽出後の主信号及びループ試験フレーム等をＭＡＣブリッジ装置３３に対して送信する。受信バッファ２２は、保守信号抽出部２１より抽出された保守信号を一時保管する。送信バッファ２３は、ＣＰＵ１０より受信した保守信号を一時保管する。保守信号挿入部２４は、保守信号を主信号に挿入するモジュールである。
【００１９】
ＣＰＵ１０は、保守信号受信部１２、保守信号解析部１３、入出力処理部１４、タイマ処理部１５、物理層制御部１６、保守信号生成部１７及び保守信号送信部１８等から構成される。保守信号受信部１２は、ＰＬＤ２０より保守信号を受信する為のモジュールである。保守信号解析部１３は、保守信号受信部１２から入力された保守信号及び後述する入出力処理部１４から入力されたループ試験の依頼信号を解析し、種別化するモジュールである。入出力処理部１４はＬＥＤ表示器２５を制御する。入出力処理部１４はＬＥＤ表示器２５を緑色、橙色等に点灯及び点滅等させ、ループ試験の開始及び終了等の保守フレームの送受信を外部に報知させる。逆に、入出力処理部１４はループ依頼部２６よりループ試験を依頼する依頼信号を受け、保守信号解析部１３に伝達する。タイマ処理部１５は、保守信号のタイマ起動、停止等の管理を行うモジュールである。例えば、「ループ試験開始要求」から「ループ試験終了応答」迄の時間幅をタイマにて設定する。物理層制御部１６は、ＵＴＰケーブル３ａ、３ｂ側のツイストペア線側物理層デバイス３４に対して、ループ試験の為の制御信号を発信するモジュールである。保守信号生成部１７は、解析結果よりループ試験の依頼及び被依頼に関する保守信号を生成するモジュールである。保守信号送信部１８は、生成された保守信号を後述するＰＬＤ２０に送信するモジュールである。
【００２０】
主記憶装置１１は、ＣＰＵ１０にて使用する上記のモジュールを格納する。各モジュールは、モジュール実行時に、図示しないＣＰＵ１０内の演算装置によって演算処理されることにより各機能を実行する。主記憶装置１１は、更に保守信号記憶部１１ａを備える。保守信号記憶部１１ａは、ループ試験に関する保守信号の種別及び内容を記憶する。
【００２１】
保守信号は、１００ＢＡＳＥ−ＦＸ（ＩＥＥＥ標準８０２．３）準拠の符号化方式を用いた９６ビット固定長フレームにより送受信される。保守信号は保守機能のための複数の制御信号を含み、主信号に挿入され、主信号と同帯域で送受信される。保守機能として用いられる保守信号には、各メディアコンバータの状態通知要求の為の「状態通知要求」、これに応答する「状態通知応答」、各メディアコンバータに対して状態を通知する「状態通知表示」、ループ試験の開始を制御する「ループ試験開始要求」、これに応答する「ループ試験開始応答」、ループ試験の終了を制御する「ループ試験終了要求」、これに応答する「ループ試験終了応答」、この終了を表示する「ループ試験終了表示」等が存在する。全ての保守信号は規定された保守フレームにてメディアコンバータ間を送受信される。
【００２２】
保守フレームの定義は、図４に示すような、ＴＴＣ標準によって定義されたフレーム等を使用する。信号の項目のうち、方向識別子４１は、「０：上り」か「１：下り」であるかを判別する。上りの場合、端末側メディアコンバータからセンタ側メディアコンバータに向かって信号が伝送される。下りの場合、センタ側メディアコンバータから端末側メディアコンバータに向かって信号が伝送される。メディアコンバータが複数存在する場合でも、あくまで直近の、端末側若しくはセンタ側に信号は伝達される。命令識別子４２は、依頼が「１０：要求」、「１１：応答」及び「０１：表示」のいずれであるかを判別する。制御信号４３は、信号が「１０００００００：ループ試験開始」「００００００００：ループ試験終了」及び「０１００００００：状態通知」のいずれを制御するのかを判別する。リンク４４は、図１の第１のネットワーク４若しくは第２のネットワーク５のリンクが正常に確立されているかを「０：リンク確立」「１：リンク断絶」の信号によって判別する。ループ試験状態表示４５は、通常の主信号を伝送する状態「０：通常」であるか、「１：ループ試験中」であるかを判別する。リンク速度４６に従って「１０Ｍｂｉｔ／ｓ」、「１００Ｍｂｉｔ／ｓ」及び「１Ｇｂｉｔ／ｓ」等の速度を判別する。リンク通信方式４７により「全二重」若しくは「半二重」であるかを判別する。リンク自動ネゴシエーション機能４８によりリンク自動ネゴシエーションが可能か否かを判別する。リンクの物理インターフェース数４９によって、図１の第１のネットワーク４若しくは第２のネットワーク５に存在する端末が「単数」であるか「複数」であるか判別する。
【００２３】
（メディアコンバータの動作）
次に、本発明の実施の形態に係る端末側の第２のメディアコンバータ１ｂがセンタ側の第１のメディアコンバータ１ａにループ試験を依頼する為の保守フレームを送信し、第１のメディアコンバータ１ａがこの保守フレームを受信し、この保守フレームに従ってループ試験を行う動作について図５のフローチャートを用いて説明する。
【００２４】
（ａ）ステップＳ１０１では、端末側の第２のメディアコンバータ１ｂにて、図３のように入出力処理部１４がループ依頼部２６より第１のメディアコンバータ１ａのループ試験に関する依頼信号を受ける。このループ依頼部２６はプログラムによる自動設定であっても、手動設定であってもよい。
【００２５】
（ｂ）ステップＳ１０２にて、保守信号解析部１３は保守信号記憶部１１ａの情報を基に、この依頼信号を解析する。保守信号解析部１３が、この依頼信号は第１のメディアコンバータ１ａに対するループ試験の依頼信号であるという解析結果を出すと、タイマ処理部１５は、「ループ試験開始要求」送信から「ループ試験終了応答」受信までのタイマＴ１を設定する。又、保守信号生成部１７は、ループ試験依頼の情報を図３の保守フレームの各項目に、例えば、方向識別子４１の欄に、相手側である第２のメディアコンバータ１ｂの宛先として、この場合端末側からセンタ側へ対してなので「０：上り」を入力する。又、ループ試験開始要求である為、命令識別子４２は「１０：要求」、制御信号４３は「１０００００００：ループ試験開始」を入力する。他の保守フレーム項目においても同様に入力し、保守信号を生成する。生成した保守信号は保守信号送信部１８によって送信バッファ２３に送信される。
【００２６】
（ｃ）ステップＳ１０３において、送信バッファ２３に一時保存された保守フレーム（保守信号）を、保守信号挿入部２４はＭＡＣブリッジ装置３３から送信された主信号に前記保守信号を挿入する。挿入後の主信号は、第１信号変換装置７の光側物理層デバイス３２及び光トランシーバ装置３１（図２参照）にて物理層プロトコルの光信号に変換され、光ファイバーケーブル２を介して、第１のメディアコンバータ１ａに送信される。
【００２７】
（ｄ）ステップＳ１０４において、第１のメディアコンバータ１ａ側の光トランシーバ装置３１及び光側物理層デバイス３２が、第２のメディアコンバータ１ｂからの光信号を受信し、物理層プロトコルの電気信号（挿入後主信号）に変換する。図３の保守信号抽出部２１は、挿入後主信号より、保守信号のみを抽出する。抽出された保守信号は受信バッファ２２にて一時保存される。
【００２８】
（ｆ）ステップＳ１０５において、受信バッファ２２よりＣＰＵ１０の保守信号受信部１２が保守信号を受信する。保守信号解析部１３は、保守信号記憶部１１ａの情報を基に、この保守信号を解析し、ループ試験を依頼されたことを判断する。これを受け、入出力処理部１４は、保守信号の送信が行われていることを、図３のＬＥＤ表示器２５を点灯、点滅等させることにより外部に報知する。更にタイマ処理部１５は、「ループ開始応答」送信から「ループ終了要求」受信までのタイマＴ２を設定する。又、ループ形成に備え、保守信号抽出部２１は、第１のネットワーク４に対しての主信号の導通を停止する。又、物理層制御部１６は、ループ試験の為に、第１のネットワーク４に内部ループの形成を行わせる。
【００２９】
（ｇ）ステップＳ１０６においては、保守信号生成部１７が、「ループ開始応答」の為、図４の保守フレームの各項目に適宜入力する。例えば、方向識別子４１の欄に、相手側である第１のメディアコンバータ１ａの宛先として、この場合センタ側から端末側へ対してなので「１：下り」を入力する。又、「ループ試験開始応答」である為、命令識別子４２は「１１：応答」、制御信号４３は「１０００００００：ループ試験開始」を入力する。他の保守フレーム項目においても同様に入力し、保守信号を生成する。生成した保守信号は保守信号送信部１８によって送信バッファ２３に送信される。
【００３０】
（ｈ）ステップＳ１０７において、「ループ試験開始応答」の保守信号は、保守信号挿入部２４にて主信号と合成され、光側物理層デバイス３２及び光トランシーバ装置３１を経て、光ファイバーケーブル２を介し、再び、第２のメディアコンバータ１ｂへ送信される。
【００３１】
（ｉ）ステップＳ１０８では、第２のメディアコンバータ１ｂ側では、ステップＳ１０４と同様に「ループ試験開始応答」の保守信号を受信し、ステップＳ１０５と同様に保守信号解析部３がこの保守信号の解析を行い、保守信号生成部１７が「ループ試験フレーム」を第１のメディアコンバータ１ａ宛てに作成する。尚「ループ試験フレーム」は保守フレームの一種であり、図４のフレーム構造を有している。作成された「ループ試験フレーム」は、保守信号挿入部２４によって主信号に挿入され、再び光ファイバーケーブル２を介し、第１のメディアコンバータ１ａへ送信される。
【００３２】
（ｊ）ステップＳ１０９では、第１のメディアコンバータ１ａが「ループ試験フレーム」を受信すると、第１のネットワーク４内部に形成されたループを廻らせ、折り返し第２のメディアコンバータ１ｂに再送信する。
【００３３】
（ｋ）ステップＳ１１０では、「ループ試験フレーム」を再度受信した第２のメディアコンバータ１ｂは、この「ループ試験フレーム」の送信前のフレーム状態と送信後のフレーム状態とを比較し、ループ試験の正常性を確認する。
【００３４】
（ｌ）ステップＳ１１１では、保守信号生成部１７は、図４の保守フレームに従い、命令識別子４２に「１０：要求」、制御信号４３に「００００００００：ループ試験終了」を入力する等の処理を行い「ループ試験終了要求」の保守信号を作成する。この「ループ試験終了要求」は、保守信号挿入部２４にて主信号に挿入され、光ファイバーケーブル２を介して、第１のメディアコンバータ１ａへ送信される。
【００３５】
（ｍ）ステップＳ１１２では、「ループ試験終了要求」の保守信号を受信すると、保守信号解析部１３がこれを解析し、ループ試験終了をタイマ処理部１５に知らせる。タイマ処理部１５はこれを受け、タイマＴ２を停止する。物理層制御部１６はループ試験の内部ループ形成を解除させ、主信号の導通を開始する。
【００３６】
（ｎ）ステップＳ１１３では、保守信号生成部１７が図３の保守フレームに従い、命令識別子４２に「１１：応答」、制御信号４３に「００００００００：ループ試験終了」を入力する等の処理を行い「ループ終了応答」の保守信号を作成する。この「ループ試験終了応答」は、保守信号挿入部２４にて主信号に挿入され、光ファイバーケーブル２を介して、第２のメディアコンバータ１ｂへ送信される。
【００３７】
（ｏ）ステップＳ１１４では、第２のメディアコンバータ１ｂが「ループ試験終了応答」を受信すると、保守信号解析部１３がこれを解析し、ループ試験終了をタイマ処理部１５に知らせる。タイマ処理部１５はこれを受け、タイマＴ１を停止する。物理層制御部１６はループ試験の内部ループ形成を解除させ、主信号の導通を開始する。これによりループ試験の一連の処理が完了する。
【００３８】
本発明の実施の形態に係る第１のメディアコンバータ１ａと第２のメディアコンバータ１ｂは同構造であり、本来はどちらがセンタ側でも端末側でも構わない。この為、双方のメディアコンバータには主従関係がなく、ループ試験の依頼及び依頼を受けたループ試験の実行を双方が実行することができる。これはセンタのメディアコンバータに対して、オフィス内、地域内及び家庭内等の複数のメディアコンバータが複数存在する場合においても適用できる為、オフィス内、地域内及び家庭内等の間のネットワーク構築性の自由度を高めることが可能となる。
【００３９】
尚、上記においては第１のメディアコンバータ１ａ及び第２のメディアコンバータ１ｂの片側からループ試験を依頼した場合について述べたが、実施においては、第１のメディアコンバータ１ａのループ試験の最中に第２のメディアコンバータ１ｂから次のループ試験の依頼が起きる場合や、第１のメディアコンバータ１ａ及び第２のメディアコンバータ１ｂの両方同時に依頼が起きる場合も予測される。この場合のメディアコンバータの動作について前者を変更例１、後者を変更例２として以下に説明する。
【００４０】
（変更例１）
第１のメディアコンバータ１ａのループ試験の最中に第２のメディアコンバータ１ｂから次のループ試験の依頼が起きる場合のメディアコンバータの動作について図６を参照して説明する。尚、第１のメディアコンバータ１ａのループ試験の最中に第２のメディアコンバータ１ｂから次のループ試験の依頼が起きるということ以外の動作においては、メディアコンバータの動作にて前述されている為、説明を省略する。
【００４１】
（ａ）先ず、ステップＳ２０１で、第１のメディアコンバータ１ａが、ループ依頼部２６より、ループ試験の開始指示を受けると、ステップＳ２０２で、タイマ処理部１５が「ループ試験開始要求」送信から「ループ試験終了応答」受信間のタイマＴ１の設定を行う。「ループ試験開始要求」の保守信号が、保守信号生成部１７にて作成されると、ステップＳ２０３にて、第２のメディアコンバータ１ｂへ送信される。
【００４２】
（ｂ）ステップＳ２０４で、第２のメディアコンバータ１ｂが「ループ試験開始要求」の保守信号を受信すると、第２のネットワーク５内部にループを形成する。又、ステップＳ２０５で、ループ試験に備え、主信号の導通を停止する。
【００４３】
この際に、図６のように、第２のメディアコンバータ１ｂが、図３のループ依頼部２６より、ループ試験の開始指示を受けると、タイマ処理部１５はこのループ試験が正常に終了した頃を見計らいタイマＴ３を設定し、この処理を保留する。尚、タイマＴ１とタイマＴ３の関係は、例えば、Ｔ１≦Ｔ３、又は、Ｔ１・２≧Ｔ３を満たすようにする。
【００４４】
タイマＴ３の設定後、ステップＳ２０７でタイマ処理部１５はタイマＴ２を設定する。ステップＳ２０８では、保守信号生成部１７にて作成された「ループ試験開始応答」を第１のメディアコンバータ１ａに送信する。
【００４５】
（ｃ）第１のメディアコンバータ１ａが「ループ試験開始応答」を受信すると、ステップＳ２０９にて主信号の導通が停止される。その後、ステップＳ２１０において、保守信号生成部１７にて生成された「ループ試験フレーム」のデータが第２のメディアコンバータ１ｂ側に送信され、第２のネットワーク５を廻り、折り返し第１のメディアコンバータ１ａに送信される。
【００４６】
（ｄ）第１のメディアコンバータ１ａは、送信前と送信後の「ループ試験フレーム」を比較し、ループの正常性を確認する。確認後、ステップＳ２１１にて「ループ試験終了要求」を作成し、第２のメディアコンバータ１ｂに送信する。
【００４７】
（ｅ）第２のメディアコンバータ１ｂが「ループ試験終了要求」を受信すると、ステップＳ２１２にてタイマ処理部１５がタイマＴ２を停止する。ステップＳ２１３で、第２のネットワーク５内部に形成されたループの解除を行う。ステップＳ２１４においては、主信号の導通を開始する。この後、ステップＳ２１５にて「ループ試験終了応答」の保守信号を作成し、ステップＳ２１５にて第１のメディアコンバータ１ａに送信する。
【００４８】
（ｆ）第１のメディアコンバータ１ａが「ループ試験終了応答」を受信すると、ステップＳ２１６にてタイマ処理部１５がタイマＴ１を停止する。ステップＳ２１７においては、主信号の導通を開始する。ステップＳ２１８においては、第２のメディアコンバータ１ｂに対し「状態通知表示」を送信する。このループ試験が正常に終了した後、タイマＴ３の保留時間が切れたタイマ処理部１５は、保守信号解析部１３にステップＳ２０６にて保留した新たな「ループ試験開始要求」の解析を再度行わせる。尚、タイマＴ３の保留時間より先に「状態通知表示」を受け取った場合にも、これをトリガとし、新たな「ループ試験開始要求」の解析を行わせても良い。この後、ステップＳ２１９にて第２のメディアコンバータ１ｂからのループ試験の依頼の動作を行う。
【００４９】
上記のようにタイマ処理部１５に保留の為のタイマＴ３を設定させることにより、第１のメディアコンバータ１ａと第２のメディアコンバータ１ｂが相手の終了を待って次のループ処理を行うことが可能となる。
【００５０】
（変更例２）
第１のメディアコンバータ１ａと第２のメディアコンバータ１ｂからループ試験の依頼が同時に起きた場合のメディアコンバータの動作について図７を参照して説明する。尚、第１のメディアコンバータ１ａと第２のメディアコンバータ１ｂからループ試験の依頼が同時に起きたこと以外の動作においては、メディアコンバータの動作にて前述されている為、説明を省略する。
【００５１】
（ａ）先ず、ステップＳ３０１で、第１のメディアコンバータ１ａが、図３のループ依頼部２６より、ループ試験の開始指示を受けると、ステップＳ３０２で、タイマ処理部１５が「ループ試験開始要求」送信から「ループ試験終了応答」受信間のタイマＴ１の設定を行う。「ループ試験開始要求」の保守信号が、保守信号生成部１７にて作成されると、ステップＳ３０３にて、第２のメディアコンバータ１ｂへ送信される。
【００５２】
（ｂ）ステップＳ３０４では、ステップＳ３０１と同時に、第２のメディアコンバータ１ｂにおいてもループ依頼部２６より、ループ試験の開始指示を受けており、ステップＳ３０６にて「ループ試験開始要求」を第１のメディアコンバータ１ａに送信していた。だが、「ループ試験開始応答」ではなく、新たな「ループ試験開始要求」を受けた第１のメディアコンバータ１ａは、メディアコンバータ間で競合が発生していると判断し、これを受けてタイマ処理部１５がタイマＴ１を停止する。この後、乱数にて発生させたランダムな待ち時間を新たにタイマに設定し、待ち時間経過後再度「ループ試験開始要求」を送信するようにする。
【００５３】
（ｃ）ステップＳ３０５において、第２のメディアコンバータ１ｂも、タイマＴ２を設定したものの、その後「ループ試験開始応答」の代わりに「ループ試験開始要求」を受信した為、メディアコンバータ間で競合が発生していると判断する。ステップＳ３０９にて、これを受けたタイマ処理部１５はタイマＴ２を停止する。この後、ステップＳ３１０において、乱数にて発生させたランダムな待ち時間を新たにタイマに設定し、待ち時間経過後再度「ループ試験開始要求」を送信するようにする。
【００５４】
（ｄ）第１のメディアコンバータ１ａは、ランダム待ち時間経過後、ステップＳ３１１において、第２のメディアコンバータ１ｂに対して再度「ループ試験開始要求」を送信する。
【００５５】
（ｅ）「ループ試験開始要求」を受けた第２のメディアコンバータ１ｂは、ステップＳ３１２にてタイマＴ３を設定し、ランダム待ち時間をクリアにする。又、ステップＳ３１３にて、第２のネットワーク５の内部ループ形成の為に、主信号の導通を停止する。その後、保守信号生成部１７が作成した「ループ試験開始応答」を、ステップＳ３１４にて、第１のメディアコンバータ１ａに送信する。
【００５６】
（ｆ）第１のメディアコンバータ１ａが「ループ試験開始応答」を受信すると、ステップＳ３１５にて主信号の導通が停止される。ステップＳ３１６においては、保守信号生成部１７にて生成された「ループ試験フレーム」が第２のメディアコンバータ１ｂ側に送信される。この「ループ試験フレーム」は第２のネットワーク５を廻り、折り返し第１のメディアコンバータ１ａに送信される。
【００５７】
（ｇ）第１のメディアコンバータ１ａは、送信前と送信後の「ループ試験フレーム」を比較し、ループの正常性を確認する。確認後、ステップＳ３１７にて「ループ試験終了要求」を作成し、第２のメディアコンバータ１ｂに送信する。
【００５８】
（ｈ）第２のメディアコンバータ１ｂが「ループ試験終了要求」を受信すると、ステップＳ３１８にてタイマ処理部１５がタイマＴ２を停止する。ステップＳ３１３で、第２のネットワーク５内部に形成されたループの解除を行う。ステップＳ３１９においては、主信号の導通を開始する。この後、ステップＳ３２０にて「ループ試験終了応答」の保守信号を作成し、第１のメディアコンバータ１ａに送信する。
【００５９】
（ｉ）第１のメディアコンバータ１ａが「ループ試験終了応答」を受信すると、ステップＳ３２１にてタイマ処理部１５がタイマＴ１を停止する。ステップＳ３２２においては、主信号の導通を開始する。ステップＳ３２３においては、第２のメディアコンバータ１ｂに対し「状態通知表示」を送信する。このループ試験が正常に終了した後、ランダム待ち時間が切れたタイマ処理部１５は、保守信号解析部１３にステップＳ３０６にて保留した新たな「ループ試験開始要求」の送信をする。尚、タイマＴ３の保留時間より先に「状態通知表示」を受け取った場合にも、これをトリガとし、新たな「ループ試験開始要求」の解析を行わせても良い。この後、ステップＳ３２４において、第１のメディアコンバータ１ａは、第２のメディアコンバータ１ｂから依頼されたループ試験の動作を行う。
【００６０】
上記のようにタイマ処理部１５に「ループ試験開始要求」の実行の衝突をさける為、タイマ処理部１５にランダム待ち時間を設定させることにより、第１のメディアコンバータ１ａと第２のメディアコンバータ１ｂが互いに相手の終了を待って次のループ処理を行うことが可能となる。第１のメディアコンバータ１ａのループ試験実行中に第２のメディアコンバータ１ｂのランダム待ち時間が切れて再度実行しようとした際にも、タイマ処理部１５が、保守信号解析部１３から送信される保守信号の種別により、ループ試験実行中である場合には再度ランダム待ち時間を設定するものとする。このランダム待ち時間に各メディアコンバータに対する優劣は存在せず、あくまでランダムに待ち時間を設定する。上記により、メディアコンバータ間の主従関係をなくし、平等にループ試験を実行させることが可能となる。
【００６１】
【発明の効果】
本発明により、異なる伝送媒体間の媒体変換を行うメディアコンバータを用いたループ試験の際に、双方向にて伝送正常性を確認させることが可能なメディアコンバータ、ループ試験方法及びループ試験プログラムを提供することができる。
【図面の簡単な説明】
【図１】本発明の実施の形態に係るメディアコンバータを用いた通信システムの概要図である。
【図２】本発明の実施の形態に係るメディアコンバータの内部構成図である。
【図３】本発明の実施の形態に係る保守信号処理装置の内部構成図である。
【図４】本発明の実施の形態に係る保守フレームのデータ構成図である。
【図５】本発明の実施の形態に係るループ試験方法のフロー図である。
【図６】本発明の実施の形態に係るループ試験方法の変更例を示すフロー図である。
【図７】本発明の実施の形態に係るループ試験方法の変更例を示すフロー図である。
【符号の説明】
１ａ…第１のメディアコンバータ
１ｂ…第２のメディアコンバータ
２…光ファイバーケーブル
３…保守信号解析部
３ａ…ＵＴＰケーブル
３ｂ…ＵＴＰケーブル
４…第１のネットワーク
４ａ、４ｂ、４ｃ…端末
５…第２のネットワーク
５ａ、５ｂ、５ｃ…端末
６…保守信号処理装置
７…第１信号変換装置
８…第２信号変換装置
１０…ＣＰＵ
１１…主記憶装置
１１ａ…保守信号記憶部
１２…保守信号受信部
１３…保守信号解析部
１４…入出力処理部
１５…タイマ処理部
１６…物理層制御部
１７…保守信号作成部
１７…保守信号生成部
１８…保守信号送信部
２０…ＰＬＤ
２１…保守信号抽出部
２２…受信バッファ
２３…送信バッファ
２４…保守信号挿入部
２５…ＬＥＤ表示器
２６…ループ依頼部
３１…光トランシーバ装置
３２…光側物理層デバイス
３３…ＭＡＣブリッジ装置
３４…ツイストペア線側物理層デバイス
３５…パルストランス
３６…ＬＡＮ用コネクタ
【図１】
2004228771.tif 000003
【図２】
2004228771.tif 000004
【図３】
2004228771.tif 000005
【図４】
2004228771.tif 000006
【図５】
2004228771.tif 000007
【図６】
2004228771.tif 000008
【図７】
2004228771.tif 000009